【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
基地局において８個以下のアンテナポートに対する参照信号を伝送する方法であって、前記方法は、
第１のスロット及び第２のスロットを含むダウンリンクサブフレームにおいて４個以下のアンテナポートに対する共用参照信号（ＣＲＳ）を伝送することであって、前記ダウンリンクサブフレームは、拡張されたサイクリックプレフィックス（ＣＰ）を有し、前記拡張されたＣＰを有するダウンリンクサブフレームは、１２個の直交周波数分割多重化（ＯＦＤＭ）シンボルを有し、ＯＦＤＭシンボルインデックスが、０から開始する、ことと、
前記８個以下のアンテナポートに対するチャネル状態情報参照信号（ＣＳＩ−ＲＳ）を伝送することであって、前記ＣＳＩ−ＲＳは、所定のパターンに従って前記ダウンリンクサブフレーム上にマッピングされている、ことと
を含み、
前記所定のパターンは、前記８個以下のアンテナポートに対するＣＳＩ−ＲＳが前記ダウンリンクサブフレームのデータ領域上の２個のＯＦＤＭシンボル上にマッピングされることを定義し、前記ＣＳＩ−ＲＳに対する前記所定のパターンで定義される前記２個のＯＦＤＭシンボルは、前記第２のスロットの２番目及び３番目のＯＦＤＭシンボルであり、
前記ＣＲＳが２個以下のアンテナポートに対して構成される場合、前記ＣＳＩ−ＲＳに対する前記所定のパターンが使用される、方法。
【請求項２】
前記ＣＲＳが４個のアンテナポートに対して構成される場合、前記ＣＳＩ−ＲＳに対する前記所定のパターンが使用されない、請求項１に記載の方法。
【請求項３】
前記２個以下のアンテナポートに対するＣＲＳは、前記第１のスロットの１番目及び４番目のＯＦＤＭシンボル、並びに前記第２のスロットの１番目及び４番目のＯＦＤＭシンボル上にマッピングされる、請求項１に記載の方法。
【請求項４】
前記所定のパターンは、前記８個以下のアンテナポートに対するＣＳＩ−ＲＳが、一つのリソースブロック対において、前記２個のＯＦＤＭシンボルのそれぞれにおいて４個の副搬送波位置のうちの一つ以上にマッピングされることを定義し、
前記所定のパターンで定義される前記４個の副搬送波位置は、「ｎ」番目の副搬送波インデックス、「ｎ＋ｋ」番目の副搬送波インデックス、「ｎ＋２ｋ」番目の副搬送波インデックス、及び「ｎ＋３ｋ」番目の副搬送波インデックスを含む、請求項１に記載の方法。
【請求項５】
ｋ＝３である、請求項４に記載の方法。
【請求項６】
前記所定のパターンで定義される前記４個の副搬送波位置は、セルまたはセルグループ別に１個の副搬送波だけシフトされる、請求項５に記載の方法。
【請求項７】
前記４個の副搬送波位置は、副搬送波インデックス０、３、６及び９、または副搬送波インデックス１、４、７及び１０、または副搬送波インデックス２、５、８及び１１である、請求項５に記載の方法。
【請求項８】
前記８個のアンテナポートに対するＣＳＩ−ＲＳは、前記一つのリソースブロック対内の８個のリソース要素上にマッピングされる、請求項４に記載の方法。
【請求項９】
前記一つのリソースブロック対は、１２個のＯＦＤＭシンボル及び１２個の副搬送波として定義される、請求項４に記載の方法。
【請求項１０】
２個または４個のアンテナポートに対するＣＳＩ−ＲＳに対する前記所定のパターンは、前記８個のアンテナポートに対するＣＳＩ−ＲＳに対する前記所定のパターンの部分集合である、請求項１に記載の方法。
【請求項１１】
前記８個以下のアンテナポートに対するＣＳＩ−ＲＳは、２個のアンテナポートに対するＣＳＩ−ＲＳが一つのグループを構成するように総４個のグループに分けられ、
前記４個のグループのそれぞれの２個のアンテナに対するＣＳＩ−ＲＳは、前記２個のＯＦＤＭシンボル上の同一の副搬送波位置においてコード分割多重化（ＣＤＭ）方式を用いて多重化され、
前記４個のグループは、異なる副搬送波位置において周波数分割多重化（ＦＤＭ）方式を用いて多重化される、請求項１に記載の方法。
【請求項１２】
ユーザー機器において基地局からの８個以下のアンテナポートに対するチャネル状態情報参照信号（ＣＳＩ−ＲＳ）を用いてチャネルを推定する方法であって、前記方法は、
第１のスロット及び第２のスロットを含むダウンリンクサブフレームにおいて、４個以下のアンテナポートに対する共用参照信号（ＣＲＳ）と前記８個以下のアンテナポートに対するＣＳＩ−ＲＳとを受信することであって、前記ＣＳＩ−ＲＳは、所定のパターンに従って前記ダウンリンクサブフレーム上にマッピングされている、ことと、
前記ＣＳＩ−ＲＳを用いて前記チャネルを推定することと
を含み、
前記ダウンリンクサブフレームは、拡張されたサイクリックプレフィックス（ＣＰ）を有し、前記拡張されたＣＰを有するダウンリンクサブフレームは、１２個の直交周波数分割多重化（ＯＦＤＭ）シンボルを有し、ＯＦＤＭシンボルインデックスが、０から開始し、
前記所定のパターンは、前記８個以下のアンテナポートに対するＣＳＩ−ＲＳが前記ダウンリンクサブフレームのデータ領域上の２個のＯＦＤＭシンボル上にマッピングされることを定義し、前記ＣＳＩ−ＲＳに対する前記所定のパターンで定義される前記２個のＯＦＤＭシンボルは、前記第２のスロットの２番目及び３番目のＯＦＤＭシンボルであり、
前記ＣＲＳが２個以下のアンテナポートに対して構成される場合、前記ＣＳＩ−ＲＳに対する前記所定のパターンが使用される、方法。
【請求項１３】
８個以下のアンテナポートに対する参照信号（ＲＳ）を伝送する基地局であって、前記基地局は、
ユーザー機器からアップリンク信号を受信するように構成された受信モジュールと、
前記ユーザー機器にダウンリンク信号を伝送するように構成された伝送モジュールと、
前記受信モジュール及び前記伝送モジュールを含む前記基地局を制御するように構成されたプロセッサと
を含み、
前記プロセッサは、第１のスロット及び第２のスロットを含むダウンリンクサブフレームにおいて４個以下のアンテナポートに対する共用参照信号（ＣＲＳ）を伝送することと、前記８個以下のアンテナポートに対するチャネル状態情報参照信号（ＣＳＩ−ＲＳ）を伝送することであって、前記ＣＳＩ−ＲＳが、所定のパターンに従って前記ダウンリンクサブフレーム上にマッピングされている、こととを行うようにさらに構成されており、
前記ダウンリンクサブフレームは、拡張されたサイクリックプレフィックス（ＣＰ）を有し、前記拡張されたＣＰを有するダウンリンクサブフレームは、１２個の直交周波数分割多重化（ＯＦＤＭ）シンボルを有し、ＯＦＤＭシンボルインデックスが、０から開始し、
前記所定のパターンは、前記８個以下のアンテナポートに対するＣＳＩ−ＲＳが前記ダウンリンクサブフレームのデータ領域上の２個のＯＦＤＭシンボル上にマッピングされることを定義し、前記ＣＳＩ−ＲＳに対する前記所定のパターンで定義される前記２個のＯＦＤＭシンボルは、前記第２のスロットの２番目及び３番目のＯＦＤＭシンボルであり、
前記ＣＲＳが２個以下のアンテナポートに対して構成される場合、前記ＣＳＩ−ＲＳに対する前記所定のパターンが使用される、基地局。
【請求項１４】
基地局からの８個以下のアンテナポートに対するチャネル状態情報参照信号（ＣＳＩ−ＲＳ）を用いてチャネルを推定するユーザー機器であって、前記ユーザー機器は、
前記基地局からダウンリンク信号を受信するように構成された受信モジュールと、
前記基地局にアップリンク信号を伝送するように構成された伝送モジュールと、
前記受信モジュール及び前記伝送モジュールを含む前記ユーザー機器を制御するように構成されたプロセッサと
を含み、
前記プロセッサは、第１のスロット及び第２のスロットを含むダウンリンクサブフレームにおいて、４個以下のアンテナポートに対する共用参照信号（ＣＲＳ）と、前記８個以下のアンテナポートに対するＣＳＩ−ＲＳとを受信することであって、前記ＣＳＩ−ＲＳが、所定のパターンに従って前記ダウンリンクサブフレーム上にマッピングされている、ことと、前記ＣＳＩ−ＲＳを用いて前記チャネルを推定することとを行うようにさらに構成されており、
前記ダウンリンクサブフレームは、拡張されたサイクリックプレフィックス（ＣＰ）を有し、前記拡張されたＣＰを有するダウンリンクサブフレームは、１２個の直交周波数分割多重化（ＯＦＤＭ）シンボルを有し、ＯＦＤＭシンボルインデックスが、０から開始し、
前記所定のパターンは、前記８個以下のアンテナポートに対するＣＳＩ−ＲＳが前記ダウンリンクサブフレームのデータ領域上の２個のＯＦＤＭシンボル上にマッピングされることを定義し、前記ＣＳＩ−ＲＳに対する前記所定のパターンで定義される前記２個のＯＦＤＭシンボルは、前記第２のスロットの２番目及び３番目のＯＦＤＭシンボルであり、
前記ＣＲＳが２個以下のアンテナポートに対して構成される場合、前記ＣＳＩ−ＲＳに対する前記所定のパターンが使用される、ユーザー機器。